(57)【要約】【課題】回路の増設に際してハウジングの標準化を図ることができるとともに小型化を図ることができる電気接続箱を提供する。【解決手段】電源に接続されるバスバー１５〜２１が設けられた電源モジュール１１と、電力分配回路が設けられた回路プレート１２と、を備えた電気接続箱１０であって、前記バスバー１５〜２１が、帯板状に成形され、前記回路プレート１２と前記電源モジュール１１とが互いに組み付けられた際に、その長手方向が該回路プレート１２の表面に沿い且つ該表面に対して垂直となるように配置され、前記電力分配回路と前記バスバー１５〜２１との接続をなす接続金具３５が、該バスバー１５〜２１の長手方向に並ぶように、前記回路プレート１２に複数立設されている。【選択図】図１
2008086070.tif 000002
【特許請求の範囲】
【請求項１】
電源に接続されるバスバーが設けられた電源モジュールと、電力分配回路が設けられた回路プレートと、を備えた電気接続箱であって、
前記バスバーが、帯板状に成形され、前記回路プレートと前記電源モジュールとが互いに組み付けられた際に、その長手方向が該回路プレートの表面に沿い且つ該表面に対して垂直となるように配置され、
前記電力分配回路と前記バスバーとの接続をなす接続金具が、該バスバーの長手方向に並ぶように、前記回路プレートに複数立設されていることを特徴とする電気接続箱。
【請求項２】
前記接続金具の先端部に、前記バスバーが挿入されるスロットが形成されていることを特徴とする請求項１に記載の電気接続箱。
【請求項３】
前記電力分配回路が、前記回路プレートの表面および／または裏面に印刷されたプリント回路であり、
前記接続金具が、その基端部を前記プリント回路に半田付けされていることを特徴とする請求項１または請求項２に記載の電気接続箱。
【請求項４】
前記電力分配回路が、前記回路プレートの表面および／または裏面に布線された複数の電線で構成され、
前記接続金具が、その基端部に一対の圧接刃を有し、前記電線に圧接されていることを特徴とする請求項１または請求項２に記載の電気接続箱。
【発明の詳細な説明】
【技術分野】
【０００１】
本発明は、例えば自動車などの車両に搭載され、電源からの電力を車両の各所に供給するために電力の分配をなす電気接続箱に関する。
【背景技術】
【０００２】
車両に搭載される電気接続箱の一例として、図４に示されるように、それぞれ電線７４が布線された３枚のモジュールプレート７１〜７３を積層し、車両の負荷システムとコネクタ接続される複数の接続バー７５を、電線接続金具を介して各モジュールプレートの電線７４にそれぞれ電気的に接続した電気接続箱７０が知られている（特許文献１参照）。
【０００３】
この電気接続箱７０において、例えばモジュールプレート７３に布線された電線７４に接続バー７５を接続するには、接続バー７５を、モジュールプレート７３の上層に配置されるモジュールプレート７１，７２を貫通させる。
【０００４】
【特許文献１】特開２００２−１０４４４号公報
【発明の開示】
【発明が解決しようとする課題】
【０００５】
上記特許文献１に開示された電気接続箱７０において、各接続バー７５は、モジュールプレート７１〜７３に垂直に配置されるが、その長手方向がモジュールプレート７１〜７３に対して垂直になっている。そのため、各接続バー７５は、各モジュールプレート７１〜７３と１点において交差する。
【０００６】
電力分配では、定格以内で１つの接続バーから複数の電線との接続を取ることができるものの、各接続バー７５と各モジュールプレート７１〜７３との交点が１点に限られるため、各モジュールプレート７１〜７３における電線７４の増設に際し、接続バー７５も増設する必要がある。また、接続バー７５を保持する分割ハウジングをも変更する必要がある。そのため、接続バー７５を含めた分割ハウジングの標準化が困難である。
【０００７】
そして、１つの接続バー７５で複数の電線７４との接続を取るには、複数のモジュールプレートを積層し、これらを貫通させる必要がある。そのため、電気接続箱７０の厚さが増す傾向にある。
【０００８】
本発明は、上述した事情に鑑みてなされたものであり、その目的は、回路の増設に際してハウジングの標準化を図ることができるとともに小型化を図ることができる電気接続箱を提供することにある。
【課題を解決するための手段】
【０００９】
上記目的は、本発明に係る下記（１）〜（４）の電気接続箱により達成される。
【００１０】
（１）電源に接続されるバスバーが設けられた電源モジュールと、電力分配回路が設けられた回路プレートと、を備えた電気接続箱であって、
前記バスバーが、帯板状に成形され、前記回路プレートと前記電源モジュールとが互いに組み付けられた際に、その長手方向が該回路プレートの表面に沿い且つ該表面に対して垂直となるように配置され、
前記電力分配回路と前記バスバーとの接続をなす接続金具が、該バスバーの長手方向に並ぶように、前記回路プレートに複数立設されていることを特徴とする電気接続箱。
（２）前記接続金具の先端部に、前記バスバーが挿入されるスロットが形成されていることを特徴とする上記（１）に記載の電気接続箱。
（３）前記電力分配回路が、前記回路プレートの表面および／または裏面に印刷されたプリント回路であり、
前記接続金具が、その基端部を前記プリント回路に半田付けされていることを特徴とする上記（１）または上記（２）に記載の電気接続箱。
（４）前記電力分配回路が、前記回路プレートの表面および／または裏面に布線された複数の電線で構成され、
前記接続金具が、その基端部に一対の圧接刃を有し、前記電線に圧接されていることを特徴とする上記（１）または上記（２）に記載の電気接続箱。
【発明の効果】
【００１１】
本発明によれば、回路プレートと電源モジュールとが互いに組み付けられた際に、帯板状に成形されたバスバーの長手方向が回路プレートの表面に沿い且つ表面に対して垂直となるように配置され、接続金具が、バスバーの長手方向に並ぶように、回路プレートに複数立設されている。そのため、バスバーと回路プレートとの接続点をバスバーの長手方向に複数取ることができ、電力分配回路の増設に際してもバスバーを増設する必要がなくなる。これにより、電源モジュールを標準化することができる。また、１つのバスバーにおいて複数の分配回路との接続を取るにあたり、複数の回路プレートを積層させる必要がないので、電気接続箱の小型化を図ることができる。
【００１２】
また、バスバーが挿入されるスロットを接続金具の先端部に形成するようにすれば、バスバーと電力分配回路との接続を容易に行うことができる。例えば、電源モジュールと回路プレートとの組み付けと同時にバスバーと電力分配回路との接続を行うことができる。
【発明を実施するための最良の形態】
【００１３】
以下、図を参照して本発明の複数の好適な実施形態を説明する。
【００１４】
（第１実施形態）
図１及び図２は本発明に係る電気接続箱の第１実施形態を示すもので、図１は本発明の電気接続箱の第１実施形態の各部品の組付け関係を説明する分解斜視図、図２は第１実施形態の電気接続箱の変形例における回路プレートの分解斜視図である。
【００１５】
図１に示すように、本発明の第１実施形態の電気接続箱１０は、電源モジュール１１と、回路プレート１２と、ケース１３とを備え、電源からの電力を車両の各所に供給するために電力の分配に用いられる。
【００１６】
電源モジュール１１は、複数のバスバー１５〜２１と、これらのバスバー１５〜２１を保持する電源モジュールハウジング１４と、を備える。
【００１７】
電源モジュールハウジング１４は、絶縁性のある樹脂により形成されており、両側壁の下縁部には係合突起受孔２５が一対ずつ形成されている。ケース１３は、絶縁性のある樹脂により形成されており、上面を開放した箱形状に成形され、両側壁の上縁部には係合突起３９が一対ずつ形成されている。電源モジュールハウジング１４は、その係合突起受孔２５にケース１３の係合突起３９を係合させ、ケース１３の上面を覆うように該ケース１３に組み付けられる。
【００１８】
回路プレート１２は、絶縁性のある樹脂製で枠状に成形された基台３３と、該基台３３上に載置されたプリント回路基板３４と、を備える。そして、回路プレート１２は、ケース１３の内側の所定位置に保持され、ケース１３と該ケース１３に上述の通り組み付けられる電源モジュールハウジング１４との間に挟まれる。
【００１９】
バスバー１５〜２１は、導電性のある金属製で、帯板状に成形されている。そして、バスバー１５〜２１は、ケース１３と電源モジュールハウジング１４との間に挟まれた回路プレート１２のプリント回路基板３４の表面に長手方向を沿わせ、且つ該表面に対して垂直となるように配置され、電源モジュールハウジング１４に保持されている。
【００２０】
電源モジュールハウジング１４の前壁には、複数のコネクタ挿入口２２〜２４が設けられている。バスバー１５〜２１の末端部は端子部とされており、各バスバーの端子部は、いずれかのコネクタ挿入口に突出して配置される。
【００２１】
例えば、図１において左側のコネクタ挿入口２２には第１バスバー１５の端子部２６が配置されており、中央のコネクタ挿入口２３には第２〜第５バスバー１６〜１９の端子部２７〜３０が２行２列に配置されており、右側のコネクタ挿入口２４には第６および第７バスバー２０，２１の端子部３１，３２が２列に配置されている。
【００２２】
尚、コネクタ挿入口２３において第２〜第５バスバー１６〜１９の端子部は上下方向に２行に配置されているが、図示するように各バスバーの端子部が適宜屈曲され、各バスバーの端子部に連なる部分のいずれもがプリント回路基板３４の表面に沿うようになっている。
【００２３】
プリント回路基板３４の表面および／または裏面には、不図示の電力分配回路が形成されている。そして、プリント回路基板３４の表面には、複数の接続金具３５が立設されている。これらの接続金具３５は、導電性のある金属製であって、先端部には、バスバー１５〜２１が進入可能なスロット３７が形成されている。
【００２４】
各接続金具３５は、プリント回路基板３４に沿って配置されたバスバー１５〜２１のいずれかと該基板３４の表面あるいは裏面に設けられた回路とが重なる点に配置され、該回路に基端部を半田付けされており、各バスバーについてみると、その長手方向に沿って複数の接続金具３５のスロット３７が並ぶように配置されている。尚、接続端子３５とプリント回路基板３４の裏面に設けられた回路との接続は、該基板３４に穿設されたスルーホール３６を通して接続される。
【００２５】
また、プリント回路基板３４の裏面には、電力分配回路の複数の下流側端子３８が設けられており、これらの下流側端子３８は、下方に向けて基台３３の下端縁よりも突出している。そして、ケース１３の底板４０には、これらの下流側端子３８を挿通させる複数の端子挿通孔４１が形成されている。
【００２６】
ケース１３の内側の所定位置に保持された回路プレート１２を該ケース１３との間に挟むようにして電源モジュールハウジング１４が上述の通り該ケース１３に組み付けられると、各バスバー１５〜２１は、その長手方向に沿って並ぶように配置された複数の端子金具３５のスロット３７に進入し、該端子金具３５の先端部で挟持され、該端子金具３５を介してプリント回路基板３４の電力分配回路と電気的に接続される。
【００２７】
そして、車両の電源に接続しているワイヤハーネスのコネクタが、電源モジュール１１のコネクタ挿入口２２〜２４にそれぞれ挿嵌され、また、車両の各所に接続しているワイヤハーネスのコネクタが、ケース１３の端子挿通孔４１を通してケース１３の外側に露出した回路プレート１２の下流側端子３８に接続される。これにより、電源からの電力は、電気接続箱１０において分配され、車両の各所に供給される。
【００２８】
以上説明したように、本実施形態の電気接続箱１０によれば、回路プレート１２と電源モジュール１１とが互いに組み付けられた際に、帯板状に成形されたバスバー１５〜２１の長手方向が回路プレート１２の表面に沿い且つ表面に対して垂直となるように配置され、接続金具３５が、バスバー１５〜２１の長手方向に並ぶように、回路プレート１２に複数立設されている。そのため、バスバー１５〜２１と回路プレート１２との接続点をバスバー１５〜２１の長手方向に複数取ることができ、電力分配回路の増設に際してもバスバーを増設する必要がなくなる。これにより、電源モジュール１１を標準化することができる。また、１つのバスバーにおいて複数の分配回路との接続を取るにあたり、複数の回路プレートを積層させる必要がないので、電気接続箱の小型化を図ることができる。
【００２９】
また、バスバー１５〜２１が挿入されるスロット３７を接続金具３５の先端部に形成しており、バスバー１５〜２１と電力分配回路との接続を容易に行うことができ、電源モジュール１１と回路プレート１２との組み付けと同時にバスバー１５〜２１と電力分配回路との接続を行うことができる。
【００３０】
次に、図２を参照して、上述した電気接続箱１０の変形例について説明する。
【００３１】
図２に示すように、本変形例では、複数の回路プレート４２，４３が積層される。各回路プレート４２，４３のプリント回路基板３４には、所定の電力分配回路がそれぞれ形成されており、各プリント回路基板３４の表面には、電源モジュール１１のバスバー１５〜２１のいずれかと接続する複数の接続金具３５がそれぞれ立設されている。
【００３２】
下層に配置される第２回路プレート４３の接続金具３５の長さ寸法は、上層に配置される第１回路プレート４２の厚み寸法よりも大きく、第１回路プレート４２のプリント回路基板３４には、両回路プレート４２，４３が積層された際に第２回路プレート４３の各接続金具３５に対応する位置に、これらの接続金具３５を挿通させる接続金具挿通孔４４が穿設されている。
【００３３】
そして、両回路プレート４２，４３が積層されると、第２回路プレート４３の接続金具３５は、第１回路プレート４２の接続金具挿通孔４４を通して該第１回路プレート４２のプリント回路基板３４の表面上に露出し、スロット３７が設けられている先端部を第１回路プレート４２の接続金具３５と同一高さに位置させる。
【００３４】
そして、両回路プレート４２，４３の積層体は、ケース１３の内側の所定位置に保持され、両回路プレート４２，４３の積層体をケース１３と電源モジュールハウジング１４との間で挟むようにして電源モジュール１１が該ケース１３に上述の通り組み付けられる。それにより、各バスバー１５〜２１は、第１回路プレート４２又は第２回路プレート４３の端子金具３５を介して第１回路プレート４２又は第２回路プレート４３の電力分配回路と電気的に接続される。
【００３５】
（第２実施形態）
次に、図３を参照して、本発明に係る電気接続箱の第２実施形態について説明する。図３は本発明の電気接続箱の第２実施形態における回路プレートの一部を破断して示す分解斜視図である。尚、図３には回路プレート周りのみを示し、他の部位は第１実施形態と同様であるので省略する。また、以下の第２実施形態において、上述した第１実施形態と重複する構成要素や機能的に同様な構成要素等については、図中に同一符号あるいは相当符号を付すことによって説明を簡略化あるいは省略する。
【００３６】
図３に示すように、本発明の第２実施形態の電気接続箱１０´に用いられる回路プレート５０では、基台５１に布線された複数の電線５２によって電力分配回路が構成されており、該電力分配回路と電源モジュール１１のバスバー１５〜２１との接続には、基端部に一対の圧接刃５３が設けられて電線５２に圧接される接続金具５４が用いられる。
【００３７】
基台５１は、複数の電線５２を所定位置に保持するための一対の縦板形状をなすガイド部５５が複数立設されており、ガイド部５５の内面に接続金具挿入用凹溝５６が形成されている。この基台５１には、カバー５７が被着される。カバー５７には、天板５８に接続金具挿通孔５９が形成されており、側板６０に電線挿通用切欠６１が形成されている。
【００３８】
接続金具５４は、電線５２が基台５１のガイド部５５に挿入された後、ガイド部５５の接続金具挿入用凹溝５６に押圧挿入される。それにより、接続金具５４の圧接刃５３が電線５２の被覆６２を切り裂いて芯線６３に電気的に接続される。
【００３９】
接続金具５４が電線５２に電気接続された後、カバー５７が基台５１に被着され、カバー５７の接続金具挿通孔５９を通してスロット３７が設けられた接続金具５４の先端部がカバー５７の外側に突出し、また、カバー５７の電線挿通用切欠６１から電線５２が引き出される。引き出された電線５２は、さらにケース１３の外側に引き出され、車両の各所に接続される。
【００４０】
以上説明したように、本実施形態の電気接続箱１０´によれば、回路プレート５０と電源モジュール１１とが互いに組み付けられた際に、帯板状に成形されたバスバー１５〜２１の長手方向が回路プレート５０の表面に沿い且つ表面に対して垂直となるように配置され、接続金具５４が、バスバー１５〜２１の長手方向に並ぶように、回路プレート５０に複数立設されている。そのため、バスバー１５〜２１と回路プレート５０との接続点をバスバー１５〜２１の長手方向に複数取ることができ、電力分配回路の増設に際してもバスバーを増設する必要がなくなる。これにより、電源モジュール１１を標準化することができる。また、１つのバスバーにおいて複数の分配回路との接続を取るにあたり、複数の回路プレートを積層させる必要がないので、電気接続箱の小型化を図ることができる。
【００４１】
また、バスバー１５〜２１が挿入されるスロット３７を接続金具５４の先端部に形成しており、バスバー１５〜２１と電力分配回路との接続を容易に行うことができ、電源モジュール１１と回路プレート５０との組み付けと同時にバスバー１５〜２１と電力分配回路との接続を行うことができる。
【００４２】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００４３】
【図１】本発明の電気接続箱の第１実施形態の各部品の組付け関係を説明する分解斜視図である。
【図２】第１実施形態の電気接続箱の変形例における回路プレートの分解斜視図である。
【図３】本発明の電気接続箱の第２実施形態における回路プレートの一部を破断して示す分解斜視図である。
【図４】従来の電気接続箱の分解斜視図である。
【符号の説明】
【００４４】
１０  電気接続箱
１１  電源モジュール
１２  回路プレート
１３  ケース
１５  第１バスバー
１６  第２バスバー
１７  第３バスバー
１８  第４バスバー
１９  第５バスバー
２０  第６バスバー
２１  第７バスバー
３４  プリント回路基板
３５  接続金具
３７  スロット
４２  第１回路プレート
４３  第２回路プレート
５０  回路プレート
５２  電線
５３  圧接刃
５４  接続金具
【図１】
2008086070.tif 000003
【図２】
2008086070.tif 000004
【図３】
2008086070.tif 000005
【図４】
2008086070.tif 000006